(57)【要約】【課題】燃焼器の燃焼ダイナミクスを調整するためのシステムおよび方法を提供すること。【解決手段】本開示の一実施形態では、１つの方法は、少なくとも１つのセンサによって、燃焼器と関連する燃焼ダイナミクス振幅データを提供するステップを含む。本方法によって、少なくとも１つのセンサに通信可能に結合した機器制御器によって、燃焼ダイナミクス振幅データを監視することができる。本方法によって、燃焼器の燃焼と関連する音響圧力振幅の少なくとも１つの変化を検出することができる。音響圧力振幅の変化を検出するステップに応答して、本方法は、燃焼器に燃料を供給するように構成された少なくとも２つの燃料回路に対する燃料分割の変更を決定し、この燃料分割の変更を燃焼器に適用するステップに進む。【選択図】図１
2018100661.tif 000002
【特許請求の範囲】
【請求項１】
燃焼器（１０５）と、
前記燃焼器（１０５）に燃料を供給するように構成された少なくとも２つの燃料回路（１２０、１２５）と、
前記燃焼器（１０５）と関連する燃焼ダイナミクス振幅データを検出して提供するために、少なくとも１つのセンサ（１３０）と、
前記少なくとも１つのセンサ（１３０）と通信可能に結合した機器制御器（１０００）であって、
前記燃焼ダイナミクス振幅データを分析して、前記燃焼器（１０５）の燃焼と関連する音響圧力振幅の少なくとも１つの変化を検出し、
音響圧力振幅の前記少なくとも１つの変化に応答して、
前記少なくとも２つの燃料回路（１２０、１２５）に対する流量比の変更である燃料分割の変更（５１０）を決定し、
前記燃料分割の変更（５１０）を前記燃焼器（１０５）に適用する
ように構成された機器制御器（１０００）と
を備える燃焼ダイナミクスの調整のためのシステム（１００）。
【請求項２】
前記音響圧力振幅の前記少なくとも１つの変化の検出が、一組の周波数域のうちの少なくとも１つの振動周波数帯域に対する既定のダイナミクス振幅閾レベル（５０５）を前記音響圧力振幅が超えたことを判定するステップを含み、
前記燃料分割の変更（５１０）が、既定の分割の変更の方向、および前記少なくとも１つの振動周波数帯域と関連するデフォルトの振幅からの振幅の変化に基づいて決定される、請求項１記載のシステム（１００）。
【請求項３】
前記分割の変更の方向が、前記組の周波数域と関連する既定の分割の変更のうちの最小のものに基づいて決定され、
前記組の周波数域が、低周波数域から高周波数域までの周波数域を含み、
前記既定のダイナミクス振幅閾レベルが、前記燃焼器（１０５）のタイプ、前記燃焼器（１０５）内の音響状態、および前記燃焼器（１０５）の幾何学的形状のうちの少なくとも１つに基づく、請求項２記載のシステム（１００）。
【請求項４】
前記燃焼器と関連するエミッションレベルを検出して提供するために、前記機器制御器に結合された少なくとも１つの他のセンサ（１３５）をさらに備える請求項１記載のシステム（１００）であって、前記機器制御器が、
前記エミッションレベルが既定のエミッション閾値を超えたことを判定し、
前記エミッションレベルが前記既定のエミッション閾値を越えたことを判定するステップに基づいて、前記エミッションレベルを修正するように前記燃焼器の制御パラメータを調節する
ようにさらに構成される、システム（１００）。
【請求項５】
前記燃焼器の音響圧力振幅の前記少なくとも１つの変化が除去されるまで、ある時間、前記燃料分割の変更（５１０）が漸増的に適用され、
前記機器制御器が、
前記燃焼ダイナミクスの振幅が既定の許容限度内であることを判定し、
前記判定に応答して、
燃焼ダイナミクスレベル（５０５）を低減させるように前記燃料分割の変更（５１０）を漸増させ、
前記燃焼器のエミッションを制御するように構成されたエミッションアルゴリズムに前記漸増させた燃料分割の変更を提供して、前記エミッションアルゴリズムに前記エミッションを許容エミッション限度内に維持させ、
前記時間が、前記燃焼器（１０５）と関連する設置場所の条件、ならびに前記燃焼器（１０５）と関連する機械のニーズおよびばらつきに基づいて決定される
ようにさらに構成される、請求項１記載のシステム（１００）。
【請求項６】
燃焼器（１０５）の燃焼ダイナミクスの調整のための方法（３００）であって、
少なくとも１つのセンサ（１３０）によって、燃焼器（１０５）と関連する燃焼ダイナミクス振幅データを提供するステップと、
前記少なくとも１つのセンサに通信可能に結合した機器制御器（１０００）によって、前記燃焼ダイナミクス振幅データを監視して前記燃焼器（１０５）の燃焼と関連する音響圧力振幅の少なくとも１つの変化を検出するステップと、
音響圧力振幅の少なくとも１つの変化を検出するステップに応答して、前記機器制御器（１０００）によって、前記燃焼器に燃料を供給するように構成された少なくとも２つの燃料回路（１２０、１２５）に対する流量比の変更である燃料分割の変更（５１０）を決定するステップと、
前記機器制御器（１０００）によって、前記燃料分割の変更（５１０）を前記燃焼器（１０５）に適用するステップと
を含む方法（３００）。
【請求項７】
前記音響圧力振幅の少なくとも１つの変化を検出するステップが、一組の周波数域のうちの少なくとも１つの振動周波数帯域に対する既定のダイナミクス振幅閾レベルを前記少なくとも１つの音響圧力振幅が超えたことを判定するステップを含み、
前記燃料分割の変更（５１０）が、既定の分割の変更の方向、および前記少なくとも１つの振動周波数帯域と関連するデフォルトの振幅からの振幅の変化に基づいて決定され、
前記既定の振幅閾レベルが、前記燃焼器のタイプ、前記燃焼器内の音響状態、および前記燃焼器（１０５）の幾何学的形状のうちの少なくとも１つに基づき、
前記燃料分割の変更の方向が、前記組の周波数域と関連する既定の分割の変更のうちの最小のものに基づいて決定され、
前記組の周波数域が、低周波数域から高周波数域までの周波数域を含む、請求項６記載の方法（３００）。
【請求項８】
前記機器制御器（１０００）に結合された少なくとも１つの他のセンサ（１３５）によって、前記燃焼器（１０５）と関連するエミッションレベルを提供するステップと
前記機器制御器（１０００）によって、前記エミッションレベルが既定のエミッション閾値を超えたことを判定するステップと、
前記判定に基づいて、前記機器制御器（１０００）によって、前記エミッションレベルに基づいて前記燃料分割の変更（５１０）を調節するステップと
をさらに含む請求項６記載の方法（３００）。
【請求項９】
前記燃焼器の音響圧力振幅の前記少なくとも１つの変化が除去されるまで、前記機器制御器（１０００）によって、既定の時間、前記分割の変更を前記燃焼器に漸増的に適用するステップと、
前記機器制御器（１０００）によって、前記燃焼ダイナミクスデータの振幅が既定の許容限度内であることを判定するステップと、
前記判定に応答して、
前記機器制御器（１０００）によって、燃焼ダイナミクスレベルを低減させるように前記燃料分割の変更（５１０）を漸増させるステップと、
前記機器制御器（１０００）によって、前記燃焼器のエミッションを制御するように構成されたエミッションアルゴリズムに前記漸増させた燃料分割の変更を提供して、前記エミッションアルゴリズムに前記エミッションを許容エミッション限度内に維持させるステップと
をさらに含む請求項６記載の方法（３００）。
【請求項１０】
燃焼器（１０５）と、
前記燃焼器に燃料を供給するように構成された少なくとも２つの燃料回路（１２０、１２５）と、
前記燃焼器と関連する燃焼ダイナミクス振幅データを検出して提供するために、少なくとも１つのセンサ（１３０）と、
前記少なくとも１つのセンサ（１３０）と通信可能に結合した機器制御器（１０００）であって、
前記燃焼ダイナミクス振幅データを監視し、
前記燃焼ダイナミクスデータに基づいて、前記振動ダイナミクスの少なくとも１つの振幅が、一組の周波数域のうちの少なくとも１つの振動周波数帯域に対する既定のダイナミクス振幅閾レベルを超えたことを検出し、
前記検出に応答して、前記少なくとも１つの振動帯域に基づいて、一次燃料回路（１２０）と二次燃料回路（１２５）との間の燃料分割に対する燃料分割の変更（５１０）を決定し、
前記燃料分割の変更（５１０）を前記燃料分割に適用し、
前記燃焼ダイナミクスの振幅が既定の許容限度内にあることを判定し、
前記判定に応答して、
燃焼ダイナミクスレベルを低減させるように前記燃料分割の変更を漸増させ、
前記燃焼器のエミッションを制御するように構成されたエミッションアルゴリズムに前記漸増させた燃料分割の変更を提供して、前記エミッションアルゴリズムに前記エミッションを許容エミッション限度内に維持させる
ように構成された機器制御器（１０００）と
を備える燃焼ダイナミクスの調整のためのシステム（１００）。
【発明の詳細な説明】
【技術分野】
【０００１】
この開示はターボ機械に関し、より詳細には、燃焼システムの燃焼ダイナミクスを調整するためのシステムおよび方法に関する。
【背景技術】
【０００２】
燃焼ダイナミクス振幅の保護は、ガスタービン運転時に必要とされる。比較的高いレベルの圧力振幅が燃焼器内に存在すると、燃焼器に損傷が生じる場合がある、かつ／または燃焼器が取り付けられた機械の部品（例えば、ガスタービン）に損傷が生じる場合がある。燃焼ダイナミクスの振幅が高いと、燃焼器および機械に損傷を生じさせる、またはそれらを完全に停止させる比較的高い振動を生じさせる場合がある。例えば、燃焼ダイナミクスの振幅が高いと、非定常な火炎となる場合があり、それによって、火炎の吹き消えが生じて機械を停止させる場合がある。
【０００３】
従来のほとんどの燃焼システムは、突然の高い燃焼ダイナミクスに対して能動的に制御しない、かつ／または瞬間的な燃焼ダイナミクスのしっかりとした保護に欠けている。許容できない燃焼ダイナミクスを見出した場合に典型的な解決策としては、監視すること、負荷を変えること、および機械を停止することに限定される場合がある。現地でのコミッショニング中、制御器は、比較的高い燃焼ダイナミクスを避けるように調整されるが、短いコミッショニングのプロセスでは、すべての条件を試験することはできない。典型的なコミッショニングのプロセスでは、通常、周囲条件、燃料の変更、および他の項目は監視されない、または、試験されない。
【発明の概要】
【課題を解決するための手段】
【０００４】
この開示は、燃焼システムの燃焼ダイナミクスを調整するためのシステムおよび方法に関する。本開示の特定の実施形態は、燃焼器の燃焼ダイナミクス振幅の変化を容易に検出することができ、燃焼器の燃料回路に対する分割の変更を決定して燃焼ダイナミクス振幅レベルを調節することができる。
【０００５】
本開示の一実施形態によれば、燃焼ダイナミクスの調整のためのシステムが提供される。システムは、燃焼器と、燃焼器に燃料を供給するように構成された少なくとも２つの燃料回路とを含むことができる。システムはまた、燃焼器と関連する燃焼ダイナミクス振幅データを検出して提供するために、少なくとも１つのセンサを含むことができる。システムはさらに、少なくとも１つのセンサと通信可能に結合した機器制御器を含むことができる。機器制御器は、燃焼ダイナミクス振幅データを分析して、燃焼器の燃焼と関連する音響圧力振幅の少なくとも１つの変化を検出するように構成することができる。音響圧力振幅の変化に応答して、２つの燃料回路に対する流量比の変更である燃料分割の変更を決定することができる。機器制御器はさらに、燃料分割の変更を燃焼器に適用することができる。
【０００６】
本開示のいくつかの実施形態では、音響圧力振幅の変化の検出は、一組の周波数域のうちの少なくとも１つの振動周波数帯域に対する既定のダイナミクス振幅閾レベルを音響圧力振幅が超えたことを判定するステップを含む。
【０００７】
本開示の特定の実施形態では、燃料分割の変更は、既定の分割の変更の方向、および少なくとも１つの振動周波数帯域と関連するデフォルトの振幅からの振幅の変化に基づいて決定される。本開示の特定の実施形態では、分割の変更の方向は、その組の周波数域と関連する既定の分割の変更のうちの最小のものに基づいて決定される。その組の周波数域は、比較的低周波数域から比較的高周波数域までの周波数域を含むことができる。既定のダイナミクス振幅閾レベルは、燃焼器のタイプ、燃焼器内の音響状態、および燃焼器の幾何学的形状のうちの少なくとも１つに基づくことができる。
【０００８】
本開示のいくつかの実施形態では、システムは、燃焼器と関連するエミッションレベルを検出して提供するために、少なくとも１つのセンサをさらに備える。この少なくとも１つのセンサは、機器制御器に結合することができる。機器制御器は、エミッションレベルが既定のエミッション閾値を超えたことを判定するようさらに構成することができる。エミッションレベルが既定のエミッション閾値を越えたことを判定するステップに基づいて、機器制御器は、エミッションレベルを修正するように燃焼器の制御パラメータを調節することができる。
【０００９】
いくつかの実施形態では、燃焼器の音響圧力振幅の少なくとも１つの変化が除去されるまで、ある時間、燃料分割の変更が漸増的に適用される。その時間は、燃焼器と関連する設置場所の条件、ならびに燃焼器と関連する機械のニーズおよびばらつきに基づいて決定することができる。機器制御器は、燃焼ダイナミクスの振幅が既定の許容限度内であることを判定し、その判定に基づいて、燃焼ダイナミクスレベルを低減させるように燃料分割の変更を漸増させるようにさらに構成することができる。機器制御器はさらに、燃焼器のエミッションを制御するように構成されたエミッションアルゴリズムに漸増させた燃料分割の変更を提供して、エミッションアルゴリズムにエミッションを許容エミッション限度内に維持させることができる。
【００１０】
本開示の一実施形態によれば、燃焼ダイナミクスの調整の方法が提供される。本方法は、少なくとも１つのセンサによって、燃焼器と関連する燃焼ダイナミクス振幅データを提供するステップを含むことができる。本方法によって、さらに、少なくとも１つのセンサに通信可能に結合した機器制御器によって、燃焼ダイナミクス振幅データを監視して燃焼器内の燃焼と関連する音響圧力振幅の少なくとも１つの変化を検出することができる。音響圧力振幅の少なくとも１つの変化を検出するステップに応答して、本方法は、機器制御器によって、燃焼器に燃料を供給するように構成された少なくとも２つの燃料回路に対する流量比の変更である燃料分割の変更を決定することができる。本方法はさらに、機器制御器によって、燃料分割の変更を燃焼器に適用するステップを含むことができる。
【００１１】
他の実施形態、システム、方法、特徴、および態様は、以下の図面と併せて以下の説明から明らかとなろう。
【図面の簡単な説明】
【００１２】
【図１】本開示のいくつかの実施形態による、例示的な燃焼システムを示すブロック図である。
【図２】本開示の実施形態による、例示的な修正パラメータ制御（ＣＰＣ：ｃｏｒｒｅｃｔｅｄ  ｐａｒａｍｅｔｅｒ  ｃｏｎｔｒｏｌ）システムを示すブロック図である。
【図３】本開示のいくつかの実施形態による、燃焼ダイナミクスを調整するための例示的な方法を示すフロー図である。
【図４】本開示の実施形態による、燃焼ダイナミクスを調整するための例示的な方法を示すフロー図である。
【図５】例示的な実施形態による、ダイナミクス振幅レベルに基づく燃料分割の変更の選択のための表を示すブロック図である。
【図６】本開示の別の実施形態による、燃焼ダイナミクスを調整するための例示的な方法を示すフロー図である。
【図７】本開示のいくつかの例示的な実施形態による、燃料分割の計算のための論理を示すブロック図である。
【図８】燃焼器の燃焼温度の関数としてのいくつかの周波数域での燃焼圧力振幅およびＮＯｘエミッションの例示的なプロットである。
【図９】一次燃料分割と最適な一次燃料分割との間の差の関数としての最適な一次燃料分割でのダイナミクス振幅に対するダイナミクス振幅およびＮＯｘエミッションの比の例示的なプロットである。
【図１０】本開示の実施形態による、燃焼器の動作を制御するための例示的な制御器を示すブロック図である。
【発明を実施するための形態】
【００１３】
以下の詳細な説明は、この詳細な説明の一部を形成する添付図面を参照することを含む。図面は、例示的な実施形態による例示を表す。これらの例示的な実施形態は、本明細書では「例」とも称せられ、当業者が本主題を実施することができるよう十分詳細に説明される。特許請求される主題の範囲から逸脱することなく、これらの例示的な実施形態を組み合わせることができ、他の実施形態を使用することができ、または構造的、論理的、および電気的な変更を行うことができる。したがって、以下の詳細な説明は、限定的な意味で解釈されるべきではなく、その範囲は、添付の特許請求の範囲およびそれらの等価物によって規定される。
【００１４】
本開示の特定の実施形態は、燃焼システムの燃焼ダイナミクスを調整するためのシステムおよび方法を含むことができる。開示されるシステムおよび方法は、周囲条件、燃料の変更、および／または燃焼システムの使用期間を考慮することができる。本明細書で説明する技術は、新規または既存の制御アーキテクチャ内で使用して燃焼ダイナミクスの不安定現象を緩和することができる。
【００１５】
本開示のいくつかの実施形態では、ダイナミクスの保護は、燃焼システムの既存の制御の論理に一体化され、したがって、ＮＯｘエミッションもまた適合範囲内に保つことができる。本明細書で説明するダイナミクスの保護技術は、複数の周波数域のダイナミクス振幅の許容レベルに合致させるために、測定燃焼ダイナミクスを使用して燃焼システムを調整することができる。説明する技術は、特異性および正確性の高いモデルの必要性を除去して、素早いダイナミクスの保護を提供することができる。本明細書で説明する燃焼ダイナミクスを調整するための方法は、所望の分割の変更を計算して、エミッション基準に適合することを確実にするエミッション制御論理にこれらの所望の変更を提供するように、燃料回路分割の変更の比率を使用することができる。
【００１６】
本開示のいくつかの例示的な実施形態では、機器プロセッサは、燃焼ダイナミクス振幅データを監視して、燃焼器内の燃焼ダイナミクスに関連する音響圧力振幅の少なくとも１つの変化を検出することができる。音響圧力振幅の少なくとも１つの変化を検出したことに応答して、機器制御器は、燃料を燃焼器に供給するように構成された少なくとも２つの燃料回路への燃料分割の変更を決定することができる。機器制御器は、燃料分割の変更を燃焼器に適用することができる。
【００１７】
本開示の特定の実施形態の技術的な効果は、燃焼器を手動で再調整するプロセスを除去することを含むことができる。本開示の特定の実施形態によって、望むように、比較的高いダイナミクスを防ぐ能動的なダイナミクス制御を有する、より積極的な燃料分割のスケジューリングが可能となり、それによって、最悪のダイナミクスの場合に対して推定する必要性を最小化または低減することができる。本開示の特定の実施形態のさらなる技術的効果によって、自動の燃焼ダイナミクスの保護が可能となる。本開示の特定の実施形態のさらなる技術的効果によって、ヒートレートおよびエミッション適合ターンダウンに対してよりよい部分負荷運転にすることができる。本開示の特定の実施形態のさらなる技術的効果は、エミッション制御を改善し、燃焼に関するトリップ、強制停止時間、およびが計画外コストを低減することができる。
【００１８】
以下では、燃焼システムの燃焼ダイナミクスを調整するシステムおよび方法に関する様々な例示的な実施形態を詳細に説明する。
【００１９】
次に、図面を参照すると、図１は、本開示の例示的な実施形態による燃焼システム１００を示すブロック図である。システム１００は、燃焼器１０５、タービン１１０、排気部１１５、機器制御器１０００、一次燃料回路１２０、二次燃料回路１２５、圧力センサ１３０、窒素酸化物（ＮＯｘ）センサ、および温度センサ１４５を含むことができる。いくつかの実施形態では、１つまたは複数のタイプのセンサ（圧力、ＮＯｘ、および温度）を単一の計器および／または一体化したセンサ装置内に結合することができる。一次燃料回路１２０および二次燃料回路１２５は両方とも、燃焼器１０５内に配置された燃料ノズルを経て燃料を燃焼器１０５に供給するように構成することができる。燃料（液体燃料または気体燃料）は空気と混合され、燃焼器１０５内の燃焼室で燃焼され、それによって、高温の加圧排出ガスを生成することができる。燃焼器１０５は、タービン１１０を通って排気システム１１５の方へ向かうように排出ガスを導く。図１には１つしか燃焼器１０５が示されていないが、特定の実施形態では、複数または多数の燃焼器１０５をタービン１１０の周りに周方向に配置することができる。複数または多数の燃焼器１０５のそれぞれは、別々の燃料回路を経て燃料を供給することができ、また、別々の燃料ノズルを含むことができる。本開示のいくつかの実施形態では、排出ガスがタービン１１０を通過すると、排出ガスはタービンブレードを押してタービン１１０の軸心に沿ってシャフトを回転させる。シャフトは負荷に接続することができる。負荷は、乗り物、または発電所の発電機、シャフト駆動圧縮機などの定置負荷を含むことができる。
【００２０】
本開示のいくつかの実施形態では、機器制御器１０００は、一次燃料回路１２０、二次燃料回路１２５、音響圧力センサ１３０、エミッションセンサ１３５、および温度センサ１４５に通信可能に接続することができる。圧力センサ１３０は、燃焼器１０５に関する燃焼ダイナミクスデータを検出し、提供するように構成することができる。いくつかの実施形態では、圧力センサは、燃焼器１０５内に配置されたプローブを含むことができる。プローブは燃焼動的監視を行うように構成することができる。具体的には、プローブは、燃焼動圧を電気信号に変換するように構成することができる。連続ダイナミクス監視（ＣＤＭ：Ｃｏｎｔｉｎｕｏｕｓ  Ｄｙｎａｍｉｃｓ  Ｍｏｎｉｔｏｒｉｎｇ）信号とも称する電気信号は、分析のために機器制御器１０００に提供することができる。エミッションセンサ１３５は、排気ガス中の窒素酸化物および炭素酸化物のエミッションレベルを検知するように構成することができる。温度センサ１４５は、排気ガスのエミッション温度を検知するように構成することができる。機器制御器１０００は、燃焼ダイナミクスデータ、エミッションレベル、排気温度を受信するように構成することができる。機器制御器１０００は、修正パラメータ制御（ＣＰＣ）システム１４０を含むことができる。本開示のいくつかの実施形態では、ＣＰＣシステム１４０は、燃焼ダイナミクスデータ、エミッションレベル、排気温度を分析し、一次燃料回路１２０および二次燃料回路１２５の燃料流量を制御することによって燃焼器の性能を調節するように構成される。
【００２１】
図２は、本開示の例示的な実施形態による例示的なＣＰＣシステム１４０を大まかに示すブロック図である。例示的なＣＰＣシステム１４０は、目標エミッションモジュール２０５、分割制御器２１０、排気温度モジュール２１５、および予測エミッションモジュール２２０を含むことができる。
【００２２】
本開示のいくつかの実施形態では、目標エミッションモジュール２０５は、負荷の選択、周囲条件、タービン１１０のサイクル、および燃焼システム１００の測定エミッションに基づいて燃焼システム１００の目標エミッションを見積もるように構成される。本開示のいくつかの実施形態では、目標エミッションは、規制限度、および燃焼システム１００のバイアス調整に基づいて見積もられる。目標エミッションは、分割制御器２１０および排気温度モジュール２１５に提供することができる。
【００２３】
本開示のいくつかの実施形態では、分割制御器は、目標エミッションに基づいて一次燃料回路と二次燃料回路との間で燃料を分割するように構成される。本開示のいくつかの実施形態では、燃料分割はダイナミクス分割に基づいて調節される。いくつかの実施形態では、燃料分割は、ＮＯｘ分割およびダイナミクス分割に基づいて調節される。ＮＯｘ分割はＮＯｘエミッションの関数である。本開示のいくつかの実施形態によれば、ダイナミクス分割は、燃焼器１０５の燃焼ダイナミクス振幅の関数とすることができる。
【００２４】
本開示のいくつかの実施形態では、排気温度モジュール２１５は、燃焼システム１００の排気温度を提供するように構成される。予測エミッションモジュール２２０は、排気温度、エミッション伝達関数、および性能サイクル分析に基づいて燃焼システム１００のエミッションを予測するように構成することができる。予測エミッションは、目標エミッションモジュール２０５にフィードバックすることができる。
【００２５】
図３は、本開示のいくつかの実施形態による、燃焼ダイナミクスの自動調整のための例示的な方法３００を示すフロー図である。方法３００の動作は、図１を参照して上記で説明した燃焼システム１００によって行うことができる。
【００２６】
方法３００は、ブロック３０２において、音響圧力センサ１３０によって、燃焼器１０５の燃焼ダイナミクス振幅データを提供するステップで始めることができる。ブロック３０４において、方法３００は、機器制御器１０００（図１を参照して下記で詳細に説明する）によって、燃焼ダイナミクス振幅データを監視して燃焼器１０５の燃焼ダイナミクスと関連する音響圧力振幅の少なくとも１つの変化を検出するステップに進むことができる。機器制御器１０００は、音響圧力センサ１３０に通信可能に結合して、燃焼器１０５の燃焼ダイナミクス振幅データを提供することができる。
【００２７】
ブロック３０６において、方法３００は、音響圧力振幅の少なくとも１つの変化を検出したことに応答して、機器制御器１０００によって燃料分割の変更を決定するステップに進むことができる。いくつかの実施形態では、燃料分割の変更は、燃焼器１０５に燃料を供給するように構成された少なくとも２つの燃料回路（例えば、一次燃料回路１２０および二次燃料回路１２５）への流量の比率の変更を含む。
【００２８】
ブロック３０８において、方法３００は、機器制御器１０００によって、燃料分割の変更を燃焼器に適用するステップを含むことができる。
【００２９】
図４は、本開示の実施形態による、燃焼ダイナミクスの調整のための例示的な方法４００を示すフロー図である。方法４００の動作は、図１を参照して上記で説明した燃焼システム１００によって行うことができる。ブロック４０２において、方法４００は、ＣＤＭ信号を処理してＣＤＭ入力を得るステップで始めることができる。ブロック４０４において、方法４００は、ＣＤＭ入力をフィルタリングして、ＣＤＭ信号の各周波数域に対して最大振幅を選択するステップに進むことができる。特定の実施形態では、最大振幅は、いくつかの周波数域に対して決定することができる。
【００３０】
ブロック４０６において、方法４００は、選択された最大振幅に基づいて、各周波数域に対して分割を決定するステップに進むことができる。本開示のいくつかの実施形態によれば、図５の表５００に示すように、ＣＤＭ信号の広帯域スペクトルは、いくつかの振動周波数域に分割することができる。ダイナミクスレベル５０５は、振動周波数域のそれぞれに予め決めることができる。最大振幅は、ダイナミクスレベル５０５に比較されて、最大振幅が特定のダイナミクスレベルに達したときに使われるべき方向（増加または減少）および分割の変更５１０の値を決定することができる。振動周波数域の数と間隔、ダイナミクスレベル５０５、ならびに特定のダイナミクスレベルおよび振動周波数域に対応する分割の変更５１０の値は、燃焼システム１００、設置場所の条件、およびその燃焼システム１００が取り付けられた機械の詳細に基づいて選択することができる。いくつかの実施形態によれば、ダイナミクスレベル５０５は、分割を増大することができる低振幅レベル（各周波数域に対して異なる）を含むことができる。分割が増大されると、燃焼器のエミッションを改善することができる。
【００３１】
ダイナミクスレベルは、分割の変更が必要でない許容低振幅レベルおよび許容高振幅レベルを含むことができる。ダイナミクスレベル５０５は比較的高い振幅レベルを含むことができる。最大振幅が高振幅レベルに達した場合、分割の変更は小さな減少を含む。ダイナミクスレベル５０５は、かなり高い振幅レベルを含むことができる。最大振幅がかなり高い振幅レベルに達した場合、分割の変更は中ぐらいの減少とすることができる。ダイナミクスレベル５０５はまた、最高の振幅レベルを含むことができる。最大振幅が最高の振幅レベルに達した場合、分割の変更は大きな減少が必要である。
【００３２】
図４に戻って参照すると、ブロック４０８において、方法４００は、最小の分割のバイアスの変更となる各周波数域での分割を選択することができる。ブロック４１０において、その選択に基づいて、方法４００は燃焼システム１００の燃料回路間の分割を設定することができる。分割の減少は、一次燃料回路１２０の燃料流量の減少と二次燃料回路１２５の燃料流量の増加となることができることを留意すべきである。その結果、燃焼器内の火炎を安定させることができる。火炎の安定によって、ダイナミクス振幅をより小さな値にすることができる。しかしながら、火炎が安定すると、燃焼器のエミッション値は悪化する場合がある。本開示のいくつかの実施形態では、燃焼ダイナミクスの調整の間、分割の変更と共に、エミッションを維持するために燃焼温度を下げる。本開示のいくつかの実施形態では、ダイナミクス振幅が許容振幅レベルに戻ると、燃焼器１０５のエミッション値を改善するために燃料分割を増大させることができる。
【００３３】
図６は、本開示の別の実施形態による、燃焼ダイナミクスの調整のための例示的な方法６００を示すフロー図である。方法６００の動作は、燃焼システム１００によって行うことができる。方法６００は、ブロック６０２において、燃焼ダイナミクスが、ある時間の間、安定であることを判定するステップで始めることができる。この時間は、設置場所の条件、および燃焼システム１００が取り付けられた機械の特定の必要性に依存する場合がある。
【００３４】
ブロック６０４において、方法６００は、燃焼ダイナミクスが比較的安定していると判定したステップに基づいて、ＣＤＭ調整を可能にするステップに進むことができる。ブロック６０６において、方法６００は、最終のダイナミクス分割の変更およびＮＯｘ分割の変更のうちの最小のものに分割の変更のバイアスを加えることができる。分割の変更のバイアスは、上記で図４を参照して説明したように、方法４００によって決定することができる。ＮＯｘ分割の変更は、ベース負荷の選択、タービンサイクル、測定エミッションレベル、目標エミッションレベルを決定するＣＰＣシステム１４０のいくつかの制御パラメータの１つである。
【００３５】
ブロック６０８において、方法６００は、燃料回路間の分割および比率の限度を設定するステップに進むことができる。本開示のいくつかの実施形態では、ブロック６０２から６０４の動作は、燃焼器１０５のダイナミクス振幅が、すべての振動周波数域に対して許容振幅レベル内になるまで、再帰的に繰り返すことができる。
【００３６】
図７は、本開示のいくつかの例示的な実施形態による、燃料分割の計算のための論理７００を示すブロック図である。論理７００は、ＣＰＣシステム１４０に組み入れることができる。論理７００は、分割計算モジュール７０５およびＮＯｘ温度調節モジュール７１０を含むことができる。
【００３７】
本開示のいくつかの実施形態では、分割計算モジュール７０５は、燃料回路間の（燃料）分割を決定するように構成される。燃料回路は、燃料を燃焼器１０５に供給する一次燃料回路１２０および二次燃料回路を含むことができる。本開示のいくつかの実施形態では、分割は、最終のダイナミクス分割の変更にのみ基づいて決定することができる。最終のダイナミクス分割は、燃焼ダイナミクス振幅の変化に基づいて決定された分割のバイアスに基づいて調節することができる。本開示の他の実施形態では、分割は、最終のダイナミクス分割およびＮＯｘエミッション分割の変更の両方に基づいて決定することができる。ＮＯｘエミッション分割の変更は、ＣＰＣシステム１４０によって、エミッション制御ループを用いて決定することができる。
【００３８】
本開示のさらに別の実施形態では、最終のダイナミクス分割の変更は、ＮＯｘ温度調節モジュール７１０にパラメータとして与えることができる。モジュール７１０は、ＮＯｘ温度基準および予測ＮＯｘエミッションレベルを決定するように構成することができる。ＣＰＣシステム１４０は、ＮＯｘ温度基準および予測ＮＯｘエミッションレベルを用いて燃焼システム１００の制御パラメータを調節することができる。
【００３９】
図８は、本開示の実施形態による、燃焼温度の関数としてのいくつかの周波数域での燃焼圧力振幅およびＮＯｘエミッションの例示的なプロット８００である。燃焼温度は、燃焼器への全燃料流量を設定することによって制御することができる。約５０ヘルツでのダイナミクス振幅は、比較的弱い二次火炎、低燃焼温度、低ＮＯｘエミッション、および低い二次燃料／高い一次燃料の分割の作用によるものである。約７０ヘルツでのダイナミクス振幅は、比較的高い一次燃料分割（主にガス燃料に関する火炎）、高燃焼温度、および高ＮＯｘエミッションの作用によるものである。約２４００ヘルツでのダイナミクス振幅は、比較的低い二次燃料／高い一次燃料の分割、低燃焼温度、および低燃焼周波数の作用によるものである。他の燃焼パラメータからダイナミクス振幅の依存性に関するデータを使用して各周波数域に対する分割の選択を決定することができる。
【００４０】
図９は、本開示の実施形態による、一次燃料分割と最適な分割との間の差の関数としての最適な分割に対するＮＯｘエミッションおよびダイナミクス振幅の比の例示的なプロット９００である。最適な分割は、ＮＯｘエミッションが最小値に達したときの一次燃料分割として定義することができる。プロット９００で分かるように、ダイナミクス振幅は、一次燃料分割を減少させることによって下げることができるが、一次燃料分割が減少すると、ＮＯｘエミッションが増大する場合がある。
【００４１】
図１０は、本開示の実施形態による例示的な制御器１０００を示すブロック図である。より詳細には、制御器１０００の要素は、所定の燃焼動作境界内で、燃焼システム１００の作動中に燃焼システム１００と関連する運転データを自動的に収集し、運転データを保存し、運転データに基づいて１つまたは複数の所定の燃焼伝達関数に対する一組の定数を生成し、かつ燃焼燃料システムのコミッショニング中に使用するためにＣＰＣシステム１４０内にその定数の組を保存しながら、複数の運転条件の下で燃焼システム１００を作動させるために使用することができる。制御器１０００は、プログラム論理１０２０（例えば、ソフトウェア）を記憶し、燃焼燃料システム、定数の組などと関連する運転データなどのデータ１０３０を記憶することができるメモリ１０１０を含むことができる。メモリ１０１０はまた、オペレーティングシステム１０４０を含むことができる。
【００４２】
プロセッサ１０５０は、オペレーティングシステム１０４０を使用してプログラム論理１０２０を実行し、そうする際にデータ１０３０を使用することもできる。データバス１０６０によって、メモリ１０１０とプロセッサ１０５０との間の通信が可能になる。使用者は、キーボード、マウス、制御盤、または、データを制御器１０００へ、かつ制御器１０００から通信することができる任意の他の装置などの少なくとも１つのユーザインターフェース装置１０７０を介して制御器１０００と接続することができる。制御器１０００は、入出力（Ｉ／Ｏ）インターフェース１０８０を介して、燃焼器システム１００と作動中に通信することができ、かつ、作動中でないときは、ＣＰＣシステム１４０とオフラインで通信することができる。さらに、他の外部装置あるいは複数の他の燃焼システムまたは燃焼器が、Ｉ／Ｏインターフェース１０８０を介して制御器１０００と通信することができることを理解すべきである。本開示の図示の実施形態では、制御器１０００は、タービンシステムに対して離れて配置することができるが、燃焼システム１００と共に配置する、または一体化することさえできる。さらに、制御器１０００、およびそれによって実行されるプログラム論理１０２０は、ソフトウェア、ハードウェア、ファームウェア、またはそれらを任意に組み合わせたものを含むことができる。複数の制御器１０００を使用することができ、それによって本明細書に説明される様々な特徴を１つまたは複数の様々な制御器１０００で実行することができることもまた理解すべきである。
【００４３】
本開示の例示的な実施形態によるシステム、方法、装置、およびコンピュータプログラム製品のブロック図が参照される。ブロック図のブロックの少なくともいくつか、およびブロック図のブロックを組み合わせたものは、コンピュータプログラム命令によって、少なくとも部分的に実行することができることが理解されるであろう。これらのコンピュータプログラム命令は、汎用コンピュータ、専用コンピュータ、専用ハードウェアベースのコンピュータ、または他のプログラム可能なデータ処理装置にロードされて、コンピュータおよび他のプログラム可能なデータ処理装置で実行する命令が、ブロック図のブロックの少なくともいくつか、または論じたブロック図のブロックを組み合わせたものの機能を実行するための手段となるように機械を生成することができる。
【００４４】
これらのコンピュータプログラム命令はまた、コンピュータ読込可能なメモリに記憶することができ、コンピュータまたは他のプログラム可能なデータ処理装置に特定の方法で機能するよう指示することができ、その結果、コンピュータ読込可能なメモリに記憶された命令は、ブロックで指定された機能を実行する命令手段を含む製品を生成する。コンピュータプログラム命令はまた、コンピュータまたは他のプログラム可能なデータ処理装置にロードされ、コンピュータまたは他のプログラム可能な装置で実行する命令が、ブロックで指定された機能を実施するためのステップを提供するように、一連の動作ステップをコンピュータまたは他のプログラム可能な装置で実行させて、コンピュータ実施プロセスを生成することができる。
【００４５】
本明細書で説明したシステムの１つまたは複数の構成部品、および方法の１つまたは複数の要素は、コンピュータのオペレーティングシステムで動作するアプリケーションプログラムによって実施することができる。それらはまた、ハンドヘルド装置、マルチプロセッサシステム、マイクロプロセッサベースまたはプログラム可能な民生用電子機器、ミニコンピュータ、メインフレームコンピュータなどを含む他のコンピュータシステム構成で実施することができる。
【００４６】
本明細書で説明したシステムおよび方法の構成要素であるアプリケーションプログラムは、ルーチン、プログラム、コンポーネント、データ構造などを含むことができ、特定の抽象データ型を実施し、特定のタスクまたはアクションを実行する。分散コンピューティング環境では、アプリケーションプログラム（全体または一部）は、ローカルメモリ内、または他の記憶装置内に配置することができる。これに加えて、またはこれに代えて、アプリケーションプログラム（全体または一部）は、遠隔メモリ内、または記憶装置内に配置され、通信ネットワークを通じてリンクされた遠隔処理装置によってタスクを実行する環境を可能とすることができる。
【００４７】
これらの説明に関して本明細書に記載した例示的説明の多くの修正および他の実施形態は、上記の説明および関連図面に提示した教示の利点を有することが想到されるであろう。したがって、本開示は、多くの形態で具現化することができ、上記の例示的な実施形態に限定すべきではないことは理解される。
【００４８】
したがって、本開示は、開示した特定の実施形態に限定されるものではなく、修正および他の実施形態が、添付の特許請求の範囲に含まれることを意図することが理解されよう。本明細書では特定の用語を使用したが、それらは、一般的で、説明的な意味のみで使用し、限定するためのものではない。
【００４９】
最後に、代表的な実施態様を以下に示す。
［実施態様１］
燃焼器（１０５）と、
前記燃焼器（１０５）に燃料を供給するように構成された少なくとも２つの燃料回路（１２０、１２５）と、
前記燃焼器（１０５）と関連する燃焼ダイナミクス振幅データを検出して提供するために、少なくとも１つのセンサ（１３０）と、
前記少なくとも１つのセンサ（１３０）と通信可能に結合した機器制御器（１０００）であって、
前記燃焼ダイナミクス振幅データを分析して、前記燃焼器（１０５）の燃焼と関連する音響圧力振幅の少なくとも１つの変化を検出し、
音響圧力振幅の前記少なくとも１つの変化に応答して、
前記少なくとも２つの燃料回路（１２０、１２５）に対する流量比の変更である燃料分割の変更（５１０）を決定し、
前記燃料分割の変更（５１０）を前記燃焼器（１０５）に適用する
ように構成された機器制御器（１０００）と
を備える燃焼ダイナミクスの調整のためのシステム（１００）。
［実施態様２］
前記音響圧力振幅の前記少なくとも１つの変化の検出が、一組の周波数域のうちの少なくとも１つの振動周波数帯域に対する既定のダイナミクス振幅閾レベル（５０５）を前記音響圧力振幅が超えたことを判定するステップを含む、実施態様１に記載のシステム（１００）。
［実施態様３］
前記燃料分割の変更（５１０）が、既定の分割の変更の方向、および前記少なくとも１つの振動周波数帯域と関連するデフォルトの振幅からの振幅の変化に基づいて決定される、実施態様２に記載のシステム（１００）。
［実施態様４］
前記分割の変更の方向が、前記組の周波数域と関連する既定の分割の変更のうちの最小のものに基づいて決定される、実施態様３に記載のシステム（１００）。
［実施態様５］
前記組の周波数域が、低周波数域から高周波数域までの周波数域を含む、実施態様２に記載のシステム（１００）。
［実施態様６］
前記既定のダイナミクス振幅閾レベルが、前記燃焼器（１０５）のタイプ、前記燃焼器（１０５）内の音響状態、および前記燃焼器（１０５）の幾何学的形状のうちの少なくとも１つに基づく、実施態様２に記載のシステム（１００）。
［実施態様７］
前記燃焼器と関連するエミッションレベルを検出して提供するために、前記機器制御器に結合された少なくとも１つの他のセンサ（１３５）をさらに備える実施態様１に記載のシステム（１００）であって、前記機器制御器が、
前記エミッションレベルが既定のエミッション閾値を超えたことを判定し、
前記エミッションレベルが前記既定のエミッション閾値を越えたことを判定するステップに基づいて、前記エミッションレベルを修正するように前記燃焼器の制御パラメータを調節する
ようにさらに構成される、システム（１００）。
［実施態様８］
前記燃焼器の音響圧力振幅の前記少なくとも１つの変化が除去されるまで、ある時間、前記燃料分割の変更（５１０）が漸増的に適用される、実施態様１に記載のシステム（１００）。
［実施態様９］
前記機器制御器が、
前記燃焼ダイナミクスの振幅が既定の許容限度内であることを判定し、
前記判定に応答して、
燃焼ダイナミクスレベル（５０５）を低減させるように前記燃料分割の変更（５１０）を漸増させ、
前記燃焼器のエミッションを制御するように構成されたエミッションアルゴリズムに前記漸増させた燃料分割の変更を提供して、前記エミッションアルゴリズムに前記エミッションを許容エミッション限度内に維持させる
ようにさらに構成される、実施態様８に記載のシステム（１００）。
［実施態様１０］
前記時間が、前記燃焼器（１０５）と関連する設置場所の条件、ならびに前記燃焼器（１０５）と関連する機械のニーズおよびばらつきに基づいて決定される、実施態様８に記載のシステム（１００）。
［実施態様１１］
燃焼器（１０５）の燃焼ダイナミクスの調整のための方法（３００）であって、
少なくとも１つのセンサ（１３０）によって、燃焼器（１０５）と関連する燃焼ダイナミクス振幅データを提供するステップと、
前記少なくとも１つのセンサに通信可能に結合した機器制御器（１０００）によって、前記燃焼ダイナミクス振幅データを監視して前記燃焼器（１０５）の燃焼と関連する音響圧力振幅の少なくとも１つの変化を検出するステップと、
音響圧力振幅の少なくとも１つの変化を検出するステップに応答して、前記機器制御器（１０００）によって、前記燃焼器に燃料を供給するように構成された少なくとも２つの燃料回路（１２０、１２５）に対する流量比の変更である燃料分割の変更（５１０）を決定するステップと、
前記機器制御器（１０００）によって、前記燃料分割の変更（５１０）を前記燃焼器（１０５）に適用するステップと
を含む方法（３００）。
［実施態様１２］
前記音響圧力振幅の少なくとも１つの変化を検出するステップが、一組の周波数域のうちの少なくとも１つの振動周波数帯域に対する既定のダイナミクス振幅閾レベルを前記少なくとも１つの音響圧力振幅が超えたことを判定するステップを含む、実施態様１１に記載の方法（３００）。
［実施態様１３］
前記燃料分割の変更（５１０）が、既定の分割の変更の方向、および前記少なくとも１つの振動周波数帯域と関連するデフォルトの振幅からの振幅の変化に基づいて決定される、実施態様１２に記載の方法（３００）。
［実施態様１４］
前記燃料分割の変更の方向が、前記組の周波数域と関連する既定の分割の変更のうちの最小のものに基づいて決定される、実施態様１３に記載の方法（３００）。
［実施態様１５］
前記組の周波数域が、低周波数域から高周波数域までの周波数域を含む、実施態様１２に記載の方法（３００）。
［実施態様１６］
前記既定の振幅閾レベルが、前記燃焼器のタイプ、前記燃焼器内の音響状態、および前記燃焼器（１０５）の幾何学的形状のうちの少なくとも１つに基づく、実施態様１２に記載の方法（３００）。
［実施態様１７］
前記機器制御器（１０００）に結合された少なくとも１つの他のセンサ（１３５）によって、前記燃焼器（１０５）と関連するエミッションレベルを提供するステップと
前記機器制御器（１０００）によって、前記エミッションレベルが既定のエミッション閾値を超えたことを判定するステップと、
前記判定に基づいて、前記機器制御器（１０００）によって、前記エミッションレベルに基づいて前記燃料分割の変更（５１０）を調節するステップと
をさらに含む実施態様１１に記載の方法（３００）。
［実施態様１８］
前記燃焼器の音響圧力振幅の前記少なくとも１つの変化が除去されるまで、既定の時間、前記分割の変更が漸増的に適用される、実施態様１１に記載の方法（３００）。
［実施態様１９］
前記機器制御器（１０００）によって、前記燃焼ダイナミクスデータの振幅が既定の許容限度内であることを判定するステップと、
前記判定に応答して、
前記機器制御器（１０００）によって、燃焼ダイナミクスレベルを低減させるように前記燃料分割の変更（５１０）を漸増させるステップと、
前記機器制御器（１０００）によって、前記燃焼器のエミッションを制御するように構成されたエミッションアルゴリズムに前記漸増させた燃料分割の変更を提供して、前記エミッションアルゴリズムに前記エミッションを許容エミッション限度内に維持させるステップと
をさらに含む実施態様１８に記載の方法（３００）。
［実施態様２０］
燃焼器（１０５）と、
前記燃焼器に燃料を供給するように構成された少なくとも２つの燃料回路（１２０、１２５）と、
前記燃焼器と関連する燃焼ダイナミクス振幅データを検出して提供するために、少なくとも１つのセンサ（１３０）と、
前記少なくとも１つのセンサ（１３０）と通信可能に結合した機器制御器（１０００）であって、
前記燃焼ダイナミクス振幅データを監視し、
前記燃焼ダイナミクスデータに基づいて、前記振動ダイナミクスの少なくとも１つの振幅が、一組の周波数域のうちの少なくとも１つの振動周波数帯域に対する既定のダイナミクス振幅閾レベルを超えたことを検出し、
前記検出に応答して、前記少なくとも１つの振動帯域に基づいて、一次燃料回路（１２０）と二次燃料回路（１２５）との間の燃料分割に対する第１の分割の変更（５１０）を決定し、
前記最終の分割の変更（５１０）を前記燃料分割に適用し、
前記燃焼ダイナミクスの振幅が既定の許容限度内にあることを判定し、
前記判定に応答して、
燃焼ダイナミクスレベルを低減させるように前記燃料分割の変更を漸増させ、
前記燃焼器のエミッションを制御するように構成されたエミッションアルゴリズムに前記漸増させた燃料分割の変更を提供して、前記エミッションアルゴリズムに前記エミッションを許容エミッション限度内に維持させる
ように構成された機器制御器（１０００）と
を備える燃焼ダイナミクスの調整のためのシステム（１００）。
【符号の説明】
【００５０】
１００  燃焼システム
１０５  燃焼器
１１０  タービン
１１５  排気部
１２０  一次燃料回路
１２５  二次燃料回路
１３０  圧力センサ
１３５  エミッションセンサ
１４０  修正パラメータ制御（ＣＰＣ）システム
１４５  温度センサ
１０００  機器制御器
２０５  システムモジュール
２１０  システムモジュール
２１５  システムモジュール
２２０  システムモジュール
３００  方法
３０２  方法のブロック
３０４  方法のブロック
３０６  方法のブロック
３０８  方法のブロック
４００  方法
４０２  方法のブロック
４０４  方法のブロック
４０６  方法のブロック
４０８  方法のブロック
４１０  方法のブロック
５００  表
５０５  ダイナミクスレベル
５１０  分割の変更
６００  方法
６０２  方法のブロック
６０４  方法のブロック
６０６  方法のブロック
６０８  方法のブロック
７００  論理
７０５  論理モジュール
７１０  論理モジュール
８００  プロット
９００  プロット
１０００  機器制御器
１０１０  メモリ
１０２０  プログラム論理
１０３０  データ
１０４０  オペレーティングシステム
１０５０  プロセッサ
１０６０  データバス
１０７０  ユーザインターフェース装置
１０８０  入力／出力インターフェース
【図１】
2018100661.tif 000003
【図２】
2018100661.tif 000004
【図３】
2018100661.tif 000005
【図４】
2018100661.tif 000006
【図５】
2018100661.tif 000007
【図６】
2018100661.tif 000008
【図７】
2018100661.tif 000009
【図８】
2018100661.tif 000010
【図９】
2018100661.tif 000011
【図１０】
2018100661.tif 000012
【外国語明細書】
2018100661000001.pdf